(57)【特許請求の範囲】
【請求項１】
ハウジングと、
該ハウジング内で往復動可能に配置され、中心軸を有するドライバブレードが設けられたピストンと、
前記ハウジングの端部に設けられて前記ドライバブレード及び留め具が通過する通路を画成する射出部と、
前記ハウジングから延在し中心軸を有し、前記留め具を打ち込むための操作部となるトリガを有するハンドル部と、
一端側が前記射出部に接続されると共に前記留め具を保持し前記射出部に供給するマガジン部と、
を備え、前記ハンドル部に対して前記マガジン部は、前記ハンドル部の中心軸と前記ドライバブレードの中心軸上に位置する仮想平面からずれて配置された釘打機において、
前記マガジン部又は前記マガジン部と前記ハウジング部の接続部に、一端側が前記マガジン部又は前記接続部に支持され、他端側が前記マガジン部の長手方向に延在し、略Ｌ字形状のフック部を設け、
前記フック部は、前記マガジン部又は前記接続部に支持される支持部と、前記マガジン部の長手方向に延在する延在部とを備え、
前記延在部は、前記マガジン部の他端側の最外周部と、前記ハウジング部の最外周部とを結ぶ仮想面よりも外側に突出していることを特徴とする打込機。
【請求項２】
前記フック部の前記他端側は、前記マガジン部の長手方向に沿って略平行に延在していることを特徴とする請求項１記載の打込機。
【請求項３】
前記フック部は、前記マガジン部又は前記接続部に支持される支持部と、前記マガジン部の長手方向に延在する延在部とを備え、前記マガジン部と前記延在部とにより開口部を形成し、
該開口部の少なくとも一部は、前記マガジン部の他端側の最外周部と、前記ハウジング部の前記マガジン部側最外周部とを結ぶ仮想線より外側に位置することを特徴とする請求項１又は請求項２に記載の打込機。
【請求項４】
前記マガジン部又は前記接続部は、前記支持部を取り付けるための取付部を有し、前記延在部は、前記取付部に対して前記支持部を摺動することにより前記マガジン部との距離を変更可能であることを特徴とする請求項１乃至請求項３のいずれかに記載の打込機。
【請求項５】
前記マガジン部又は前記接続部は、前記支持部を取り付けるための取付部を有し、前記フック部は、前記取付部に対して回動可能に支持されていることを特徴とする請求項１乃至請求項３のいずれかに記載の打込機。
【発明の詳細な説明】
【技術分野】
【０００１】
本発明は打込機に関する。
【背景技術】
【０００２】
従来、釘打機等の打込機は、燃焼ガスを動力源としてピストンを駆動する燃焼式タイプと、圧縮空気を動力源とする空気式タイプ等がある。いずれのタイプの打込機も、釘を被打込材に打ち込む際には、釘をマガジン部に装填した状態で本体ハウジングに設けられたハンドル部を把持し、打ち込み箇所に射出部を押し当て、ハンドル部に設けられたトリガを操作することによって、釘を被打込材に打ち込むことができる。
【０００３】
一方、打込機を使用しない場合には、特許文献１に記載されているように、打込機にフックを設け、フックを建築部材等に引っ掛ける等することで建築部材等に吊るすことができるようになっている。
【０００４】
従って、打込機を使用する場合にはフックが邪魔にならないように釘の打ち込みを可能とし、打込機を使用しない場合には容易にフックによって建築部材等に引っ掛けられるように、フックを配置する必要がある。
【０００５】
【特許文献１】特開２００４−２０９５６７号公報
【特許文献２】特開昭５９−２０９７７３号公報
【特許文献３】特開２００７−２７６０８４号公報
【発明の開示】
【発明が解決しようとする課題】
【０００６】
ところで、マガジン部に装填される釘には種々の釘がある。複数の釘が連結された連結釘もあるため連結釘に適用できるようにマガジン部が構成されている。例えば特許文献２に記載されているように、ドライバブレードが当接する釘頭がドライバブレードに対して略垂直方向に一直線上に並んで配置されているものや、釘が階段状に連結されているものが存在する。前者の場合、射出部すなわち釘の打ち込み方向に対して釘が平行に位置しなければ確実な打ち込みができないため、マガジン部は射出部に対して略垂直方向に延在して設けられることになる。一方、後者の場合、釘が斜め方向に連結されているため、マガジン部が射出部に対して垂直方向に配置してしまうとマガジン内に釘を装填することができないため、マガジンを射出部に対して傾斜して設けることになる。
【０００７】
また、特許文献１に記載されているように、一般的にハンドル部とマガジン部は、ハンドル部の中心線とドライバブレードの中心線を結んだ同一平面上に配置され、マガジン部の反射出部側は、ハンドル部の端部側に接続されている。このような構成においては、フックをハンドル部とマガジン部の接続部に設けても容易に建築部材等に引っ掛けることができる。また、特許文献３に記載されているように、フックをハンドル部端部に設けることも可能である。一方、連結釘の傾斜角度が大きい場合には、特許文献２に記載されているように、マガジン部をハンドル部に対してねじれた位置すなわち上記した同一平面からずらすことで傾斜角度が大きい連結釘を装填できるようにしている。このような構成の打込機において、特許文献１や特許文献３に記載されているフックは、マガジン部が邪魔になりマガジン部からのフックの出っ張り部分が十分ではないため、容易に建築部材等に打込機を引っ掛けることができない。
【０００８】
従って、本発明は、容易に建築部材等に引っ掛けることができるフックを備えた打込機を提供することを目的とする。
【課題を解決するための手段】
【０００９】
上記課題を解決するために本発明は、ハウジング部と、該ハウジング部内で往復動可能に配置され、中心軸を有するドライバブレードが設けられたピストンと、前記ハウジング部の端部に設けられて前記ドライバブレード及び留め具が通過する通路を画成する射出部と、前記ハウジング部から延在し中心軸を有し、前記留め具を打ち込むための操作部となるトリガを有するハンドル部と、一端側が前記射出部に接続されると共に前記留め具を保持し前記射出部に供給するマガジン部と、を備え、前記ハンドル部に対して前記マガジン部は、前記ハンドル部の中心軸と前記ドライバブレードの中心軸上に位置する仮想平面からずれて配置された釘打機において、前記マガジン部又は前記マガジン部と前記ハウジング部の接続部に、一端側が前記マガジン部又は前記接続部に支持され、他端側が前記マガジン部の長手方向に延在し、略Ｌ字形状のフック部を設けたことを特徴としている。
【００１０】
このような構成にすることにより、マガジン部又はマガジン部とハウジング部の接続部に、マガジン部の長手方向に延在する略Ｌ字状のフックを設けたため、打込機本体を建築部材等に引っ掛ける際にハンドル部やマガジン部が建築部材等に当たって引っ掛けの邪魔になることが抑制され、容易に建築部材等に引っ掛けることができる。
【００１１】
また、前記フック部の前記他端側は、前記マガジン部の長手方向に沿って略平行に延在するようにしてもよい。
【００１２】
このような構成にすることにより、フック部はマガジン部に平行に延在しているため、作業者がハンドル部を把持して建築部材等にフックを引っ掛ける際にマガジン部でガイドすることができる。
【００１３】
また、前記フック部は、前記マガジン部又は前記接続部に支持される支持部と、前記マガジン部の長手方向に延在する延在部とを備え、前記延在部は、前記マガジン部の他端側の最外周部と、前記ハウジング部の最外周部とを結ぶ仮想面よりも外側に突出しているようにしてもよい。
【００１４】
また、前記フック部は、前記マガジン部又は前記接続部に支持される支持部と、前記マガジン部の長手方向に延在する延在部とを備え、前記マガジン部と前記延在部とにより開口部を形成し、該開口部の少なくとも一部は、前記マガジン部の他端側の最外周部と、前記ハウジング部の前記マガジン部側最外周部とを結ぶ仮想線より外側に位置するようにしてもよい。
【００１５】
これらのような構成にすることにより、フック部の延在部及び延在部とマガジン部とにより形成される開口部すなわち延在部の端部が、打込機本体の最外周面よりも外側に突出しているため、打込機のハウジング部やマガジン部等が引っ掛けの妨げになることを防止できる。特に、フック部を作業者の腰ベルトに引っ掛ける際には、マガジン部の他端側の最外周部が作業者の背中などに当たり難く引っ掛ける動作を容易に行うことができるようになる。すなわち、仮想線より外側に位置する構成であると、マガジン部やハンドル部に沿って本体を移動させながらフック部を作業者の腰ベルトに引っ掛けようとするとマガジン部の他端側の最外周部が作業者の背中などに当たってしまう場合があり、引っ掛ける動作を行い難いものであったが、このような構成とすることにより、上記したようにフック部を作業者の腰ベルトに引っ掛ける動作を容易に行うことができる。
【００１６】
また、前記マガジン部又は前記接続部は、前記支持部を取り付けるための取付部を有し、前記延在部は、前記取付部に対して前記支持部を摺動することにより前記マガジン部との距離を変更可能にしてもよい。
【００１７】
このような構成にすることにより、フック部を使用しない場合にはフック部が作業の邪魔になることを防止することができる。
【００１８】
また、前記マガジン部又は前記接続部は、前記支持部を取り付けるための取付部を有し、前記フック部は、前記取付部に対して回動可能に支持されていてもよい。
このような構成にすることにより、フック部を使用しない場合にはフック部が作業の邪魔になることを防止することができる。
【発明の効果】
【００１９】
本発明の打込機によれば、打込機本体を建築部材等に引っ掛ける際にハンドル部やマガジン部が建築部材等に当たって引っ掛けの邪魔になることが抑制され、容易に建築部材等に引っ掛けることができる。また、フック部を使用しない場合にはマガジン部から外側に突出しないようにしたのでフック部が作業の邪魔になることを抑制することができる。
【発明を実施するための最良の形態】
【００２０】
以下、本発明にかかる打込機について図１乃至図５に基づき説明する。図１及び図２に示すように、打込機である釘打機１は、ガスを燃料として釘打ちを行う燃焼式の釘打機であり、外郭としてのハウジング２を有し、ハウジング２は、本体ハウジング２Ａと、本体ハウジング２Ａの側部に位置するガスボンベ収納部２Ｂと、ガスボンベ収納部２Ｂから延びるハンドル部３を有する。なお、本実施形態では燃焼式の釘打機について説明するが、空気式の釘打機等の釘を打ち込む釘打機や、他の電動工具に適用できる。本体ハウジング２Ａ内であってその一端側に偏った位置には、チャンバヘッド５が設けられており、チャンバヘッド５にはモータ６、点火プラグ７が支持されている。またチャンバヘッド５内には、燃焼ガス通路８が形成されている。本体ハウジング２Ａの一端側にはチャンバヘッド５を覆うようにヘッドカバー４が設けられている。
【００２１】
本体ハウジング２Ａ内の反モータ６側には、シリンダ９が固定され、シリンダ９の一端側外周面には、シリンダシール部１０が装着されている。シリンダ９内には動力部たるピストン１１がシリンダ９に往復摺動可能に設けられる。そしてピストン１１から本体ハウジング２の他端側に向かって留め具である釘を被打込材に打ち込むためのドライバブレード１２が延出している。なお、本体ハウジング２Ａの長手方向に延びる径方向の中心線は、ドライバブレード１２の長手方向に延びる径方向の中心線と一致し、すなわち、各中心線は同一平面上に位置するように構成されている。
【００２２】
本体ハウジング２Ａ内にはシリンダ９の軸方向に移動可能な燃焼室枠１３がシリンダ９に案内されて設けられている。燃焼室枠１３の移動位置に応じて、その内周面がヘッドシール部１４やシリンダシール部１０によってシールされる。燃焼室枠１３が本体ハウジング２Ａの一端方向に移動してチャンバヘッド５に当接すると、チャンバヘッド５、燃焼室枠１３、ピストン１１とにより燃焼室１５が画成される。点火プラグ７と燃焼ガス通路８の開口端は燃焼室１５に臨んでいる。また、モータ６の回転軸に固定されたファン１６が、燃焼室１５内にモータ６によって回転可能に配置される。なお、ファン１６は、ヘッドカバー４に設けられた不図示の空気吸気口から燃焼室１５内に空気を取り込み、燃焼ガスと空気を攪拌させ、燃焼ガスを排気し、シリンダ９等を冷却する等の機能を備えている。
【００２３】
また図１に示されるように、本体ハウジング２Ａの他端には、ドライバブレード１２の動力を釘に伝達するためにドライバブレード１２を通過可能とさせる通路を画成する射出部１７と、ドライバブレード１２により打撃される釘が装填されると共に射出部１７の通路に釘を供給するマガジン１８が設けられている。
【００２４】
マガジン１８は、一端側が射出部１７に接続されるとともに他端側がハンドル３に接続されており、ハンドル３とマガジン１８は連結部材で固定され強固な構成となっている。マガジン１８には釘を射出部１７側に付勢するフィーダ１９及びフィーダ１９を射出部１７側に付勢する図示せぬバネが設けられている。この図示せぬバネがフィーダ１９を付勢することにより、釘を常に射出部１６に供給するように構成されている。
【００２５】
図２に示すように、ガスボンベ収納部２Ｂ内には燃料ガスを蓄えノズル２０Ａを備えたガスボンベ２０が収納される。ノズル２０Ａはチャンバヘッド５の燃料ガス通路８に選択的に導通可能に設けられる。釘打機１本体を打込材に押し付けると、プッシュレバー２４の一端が被打込材に押し付けられチャンバヘッド５側に移動し、プッシュレバー２４の他端がガスボンベ２０を押すことになる。すると、ガスボンベ２０が本体ハウジング２Ａ側に傾き、この傾きによりノズル２０Ａが押されることによりガスボンベ２０からノズル２０Ａを介して燃料ガスが燃料ガス通路８を介して燃焼室１５内に噴射される。
【００２６】
ハンドル３にはトリガ２１が作業者の指で操作可能に取付けられ、ハンドル３内には点火プラグ７に接続されたトリガスイッチ２２が設けられている。ハンドル３の自由端部（反本体ハウジング側）側内空間には、着脱可能な電池２３が装着されており（図１）、電池２３は配線を介して、トリガスイッチ２０やモータ６に接続されている。
【００２７】
また、マガジン１８の突出部１８Ａ又はマガジン１８とハンドル３との接続部２８には、釘打機１を建築部材等に引っ掛けるためのフック２５が設けられている。フック２５は接続部に対してプレート２７を介してねじ２６で固定されている。
【００２８】
以上の構成において、釘打機１を動作させる手順を以下に説明する。燃焼室枠１３が下死点にあるときは、燃焼室枠１３はヘッドシール部１４やシリンダシール部１０と接触しておらず、燃焼室枠１３内の空間は外気に繋がっている。この状態から、釘打機１すなわちプッシュレバー２４を被打込材に当接させて押し付けると、プッシュレバー２４の動きと連動して燃焼室枠１３がチャンバヘッド５方向に移動し、燃焼室枠１３はヘッドシール部１４及びシリンダシール部１０に密接して、燃焼室枠１３、チャンバヘッド５、ピストン１によって外気から遮断された燃焼室１５が画成される。また、燃焼室枠１３が所定位置まで上昇すると、図示せぬセンサが検知して、モータ６を駆動させファン１６を回転させる。また、釘打機１を被打込材に押し付けると、ガスボンベ２０が本体ハウジング２Ａ側に傾きノズル２０Ａが押されることによってガスボンベ２０から燃料ガスが燃料ガス通路８を介して燃焼室１５内に噴射される。
【００２９】
燃焼室枠１３が上死点にある状態すなわち燃焼室１５が画成された状態でトリガ２１を引き操作すると、トリガスイッチ２２がオンとなり点火プラグ７からスパークが発生する。点火プラグ７の先端は燃焼室１５に臨んでいるため燃焼室１５内で燃焼ガスが点火され、ガスは燃焼爆発してピストン１１を射出部１７方向に駆動する。よって、ドライバブレード１２が射出部１７にある釘を打撃し、釘は被打込材に打ち込まれる。釘が打込材に打ち込まれると、新たな釘がフィーダ１９により射出部１７内に供給され、新たに釘打ちが可能となる。
【００３０】
次に、本発明となる釘打機のフックについて図１、図３及び図４を用いて説明する。本発明となる釘打機１は、図３及び図４に示されるように、マガジン１８はハンドル３に対して、ハンドル３の中心軸とドライバブレード１２（本体ハウジング２Ａ）の中心軸上に位置する仮想平面Ａから所定の角度だけずれた位置にマガジン１８の他端側が位置するように配置されている。これは、上記したように、マガジン１８に階段状に連結された連結釘を装填可能とするために、ハンドル３とマガジン１８をオーバーラップさせて配置している。また、ハンドル３とマガジン１８をオーバーラップさせて配置することにより、釘打機１自体を小型にすることもできる。
【００３１】
フック２５は、建築部材等への引っ掛けが容易にできるように側面視Ｌ字形状（図３）をしており、フック２５の支持部２５Ａの一端がマガジン１８の突出部１８Ａにプレート２７を介してねじ２６で固定されている。フック２５の支持部２５Ａの他端側は延在部２５Ｂに繋がっており、延在部２５Ｂはマガジン１８と略平行に釘打機本体側に延びている。これにより、作業者がハンドル３を把持して釘打機１を建築部材等に引っ掛ける際に、容易に引っ掛けることができる。また、マガジン１８がフック２５のガイドとなるためより容易に引っ掛け作業をすることができる。
【００３２】
フック２５の延在部２５Ｂは支持部２５Ａに対して略直角方向に曲がって形成されており、マガジン１８の外側面から外側方向すなわち反ハンドル３側に突出して設けられている。図３に示すように、延在部２５Ｂは、マガジン部１８の他端側の最外周部１８Ｂと、ハウジング部２（ヘッドカバー４）の最外周部４Ａとを結ぶ仮想面Ｂよりも外側に突出している。また、マガジン１８の外側面とフック２５の延在部２５Ｂによって、ハウジング２側に開口する開口部２９を形成している。さらに、延在部２５Ｂは、釘打機１の本体部分を形成するハウジング２（ヘッドカバー４）の最外周部４Ａと、マガジン１８の他端部の最外周部１８Ｂとを結ぶ仮想線Ｂより外側に位置しており、開口部２９の一部も仮想線Ｂより外側で開口している。このように、延在部２５Ｂ又は開口部２９を仮想線（仮想面）Ｂよりも外側（反マガジン部側）に突出するように構成することにより、釘打機１を建築部材等に引っ掛ける際に、フック２５の延在部２５Ｂ或いは開口部２９の一部が仮想線Ｂより外側に位置しているため、引っ掛け作業の邪魔になる部分がなく、スムーズ且つ容易にフック２５によって釘打機１を建築部材等に引っ掛けることができるようになる。特に、フック部を作業者の腰ベルトに引っ掛ける際には、マガジン部の他端側の最外周部が作業者の背中などに当たり難く引っ掛ける動作を容易に行うことができるようになる。すなわち、仮想線より外側に位置する構成であると、マガジン部やハンドル部に沿って本体を移動させながらフック部を作業者の腰ベルトに引っ掛けようとするとマガジン部の他端側の最外周部が作業者の背中などに当たってしまう場合があり、引っ掛ける動作を行い難いものであったが、このような構成とすることにより、上記したようにフック部を作業者の腰ベルトに引っ掛ける動作を容易に行うことができる。
【００３３】
次に、第２の実施形態について図５及び図６を用いて説明する。釘打機５０は、フック２５の取付位置が釘打機１と異なるものであり、その他の構成は釘打機１と同じ構成となっている。フック２５は、マガジン１８の突出部１８Ａに設けられており、マガジン１８の長手方向に沿った略中間位置に配置されている。釘打機５０も釘打機１と同様に、フック２５は、建築部材等への引っ掛けが容易にできるように側面視Ｌ字形状（図６）をしており、フック２５の支持部２５Ａの一端がマガジン１８の突出部１８Ａにプレート２７を介してねじ２６で固定されている。フック２５の支持部２５Ａの他端側は延在部２５Ｂに繋がっており、延在部２５Ｂはマガジン１８と略平行に釘打機本体側に延びている。これにより、作業者がハンドル３を把持して釘打機１を建築部材等に引っ掛ける際に、容易に引っ掛けることができる。また、マガジン１８がフック２５のガイドとなるためより容易に引っ掛け作業をすることができる。
【００３４】
フック２５の延在部２５Ｂは支持部２５Ａに対して略直角方向に曲がって形成されており、マガジン１８の外側面から外側方向すなわち反ハンドル３側に突出して設けられている。図６に示すように、マガジン１８の外側面とフック２５の延在部２５Ｂによって、ハウジング２側に開口する開口部２９を形成している。さらに、延在部２５Ｂは、釘打機１の本体部分を形成するハウジング２（ヘッドカバー４）の最外周部４Ａと、マガジン１８の他端部の最外周部１８Ｂとを結ぶ仮想線Ｂより外側に位置しており、開口部２９の一部も仮想線Ｂより外側で開口している。このよう構成することにより、釘打機１を建築部材等に引っ掛ける際に、フック２５の延在部２５Ｂ或いは開口部２９の一部が仮想線Ｂより外側に位置しているため、引っ掛け作業の邪魔になる部分がなく、スムーズ且つ容易にフック２５によって釘打機１を建築部材等に引っ掛けることができるようになる。但し、釘打機５０の重心位置は、図１に示す釘打機１の重心位置Ｇと同じであるため、フック２５をマガジン１８の長手方向の中間位置に設けてしまうと、フック２５によって建築部材等に釘打機２５を引っ掛けた際に、フック２５を支点として回転してしまうことも考えられる。また、フック２５がマガジン１８の長手方向の中間位置に配置され、建築部材等に引っ掛ける際に開口部２９と端部４Ａとの距離が短くなってしまうため、引っ掛ける相手部材によっては端部４Ａが邪魔になってしまうことが考えられる。従って、フック２５の取付位置は、よりマガジン１８の他端部側に設けた方がよいものである。
【００３５】
次に、第３の実施形態について、図７及び図８を用いて説明する。フック２５の取付位置以外は第１及び第２の実施形態と同様のため説明を省略する。釘打機１００は、フック２５をマガジン１８の他端部に配置した構成である。釘打機１００も釘打機１及び釘打機５０と同様に、フック２５は、建築部材等への引っ掛けが容易にできるように側面視Ｌ字形状（図８）をしており、フック２５の支持部２５Ａの一端がマガジン１８の他端側最端部に固定されている。フック２５の支持部２５Ａの他端側は延在部２５Ｂに繋がっており、延在部２５Ｂはマガジン１８と略平行に釘打機本体側に延びている。これにより、作業者がハンドル３を把持して釘打機１を建築部材等に引っ掛ける際に、容易に引っ掛けることができる。また、マガジン１８がフック２５のガイドとなるためより容易に引っ掛け作業をすることができる。
【００３６】
フック２５の延在部２５Ｂは支持部２５Ａに対して略直角方向に曲がって形成されており、マガジン１８の外側面から外側方向すなわち反ハンドル３側に突出して設けられている。図８に示すように、マガジン１８の外側面とフック２５の延在部２５Ｂによって、ハウジング２側に開口する開口部２９を形成している。さらに、延在部２５Ｂは、釘打機１の本体部分を形成するハウジング２（ヘッドカバー４）の最外周部４Ａと、マガジン１８の他端部の最外周部１８Ｂとを結ぶ仮想線Ｂより外側に位置しており、開口部２９の一部も仮想線Ｂより外側で開口している。このよう構成することにより、釘打機１を建築部材等に引っ掛ける際に、フック２５の延在部２５Ｂ或いは開口部２９の一部が仮想線Ｂより外側に位置しているため、引っ掛け作業の邪魔になる部分がなく、スムーズ且つ容易にフック２５によって釘打機１を建築部材等に引っ掛けることができるようになる。但し、釘打機１００の位置にフック２５を設ける場合、釘打機１００の重心は釘打機１の重心位置Ｇと同じであるため建築部材等に引っ掛けた際のバランスは良いが、マガジン１８と延在部２５Ｂによって形成される開口部２９が小さく、釘打機１に対して引っ掛ける部材に制限がかかってしまう。従って、上記した釘打機の中では、釘打機１が最も効果的であり、実現性が高いものである。
【００３７】
ここで、上記した釘打機のフック２５はいずれも、マガジン１８又はマガジン１８とハンドル３の接続部２８に固定される構成としたが、図９及び図１０に示すように、支持部２５Ａが取付部となるマガジン１８の突出部１８Ａに対して摺動するように構成し、延在部２５Ｂとマガジン１８との距離すなわち開口部２９を変更できるようにしてもよい。この場合、建築部材等に引っ掛ける場合は図１０の状態のようにフック２５をマガジン１８に対して最も突出させ、釘打機を使用する場合は、図９の状態のように、矢印Ｘの方向にフック２５を押して、マガジン１８に対して最も引っ込めた位置にしてフック２５が作業の邪魔にならないようにすることもできる。なお、この際、フック２５が取付部１８Ａから抜け落ちないように、フック２５の一端側端部に係止部２５Ｃを設けても良い。フック２５（延在部２５Ｂ）をマガジン１８に対する突出量を調整する機構は種々あるが、例えば、フック２５の支持部２５Ａにその長手方向に複数の溝を設け、取付部１８Ａには溝に係合する凸部有する操作部を設け、操作部によって外部から溝と凸部の係合及び非係合位置を調整可能に構成すればよい。
【００３８】
また、図１１に示すように、取付部１８Ａに対してフック２５を回動可能に設けるようにしてもよく、釘打機を使用する場合にはマガジン１８から外側に突出しない位置にフック２５を回動させることにより、フック２５が作業の邪魔になることを抑制することができる。
【００３９】
なお、上記した実施形態では、フック２５の延在部２５Ｂがマガジン１８と略平行に延在する構成としたが、延在部２５Ｂの先端がマガジン１８に向かって傾斜するようにしてもよく、先端が仮想線Ｂより外側（反マガジン側）に位置するように構成すれば、引っ掛け作業時にハウジング２等がフック２５の邪魔になることがなくスムーズに容易に建築部材等に引っ掛けることが可能になる。
【図面の簡単な説明】
【００４０】
【図１】本発明の釘打機の第１の実施形態を示す側面図である。
【図２】図１の部分断面図である。
【図３】図１の平面図である。
【図４】図１の正面図である。
【図５】本発明の釘打機の第２の実施形態を示す側面図である。
【図６】図５の平面図である。
【図７】本発明の釘打機の第３の実施形態を示す側面図である。
【図８】図７の平面図である。
【図９】フックの第１機構の第１状態を示す図である。
【図１０】フックの第１機構の第２状態を示す図である。
【図１１】フックの第２機構を示す図である。
【符号の説明】
【００４１】
１は釘打機、２はハウジング、２Ａは本体ハウジング、２Ｂはガスボンベ収納部、３はハンドル、４はヘッドカバー、５はチャンバヘッド、６はモータ、７は点火プラグ、８は燃焼ガス通路、９はシリンダ、１０はシリンダシール部、１１はピストン、１２はドライバブレード、１３は燃焼室枠、１４はヘッドシール部、１５は燃焼室、１６はファン、１７は射出部、１８はマガジン、１８Ａは突出部、１９はフィーダー、２０はガスボンベ、２０Ａはノズル、２１はトリガ、２２はトリガスイッチ、２３は電池、２４はプッシュレバー、２５はフック、２５ａは支持部、２５ｂは延在部、２６はねじ、２７はプレート、２８は接続部、２９は開口部である。
【図１】
0005277728.tif 000002
【図２】
0005277728.tif 000003
【図３】
0005277728.tif 000004
【図４】
0005277728.tif 000005
【図５】
0005277728.tif 000006
【図６】
0005277728.tif 000007
【図７】
0005277728.tif 000008
【図８】
0005277728.tif 000009
【図９】
0005277728.tif 000010
【図１０】
0005277728.tif 000011
【図１１】
0005277728.tif 000012